(57)【要約】【課題】室内の使用に際して通気状態から遮音状態への切換え操作が容易で、しかも、使用後、遮音状態から通気状態に確実に戻すことができる通気遮音構造を提供する。【解決手段】例えば、トイレ室内２側に、通気口４が開閉材で閉じられた遮音状態を形成するドア施錠機能無しの押しボタン式の遮音操作部７が備えられ、ドア２を閉め、トイレ室内２側で前記操作部７を操作して遮音状態を形成した後、トイレ室内２側からドア１を開くためのドアハンドル６の回動操作をすると、通気口４が開いて通気状態に復帰するようになされている。【選択図】      図１
2009002071.tif 000002
【特許請求の範囲】
【請求項１】
室外と連通する通気口が備えられると共に、該通気口を開閉する開閉材が備えられ、かつ、室内側に、通気口が開閉材で閉じられた遮音状態を形成するドア施錠機能無しの遮音操作部が備えられ、
ドアを閉め、室内側で前記操作部を操作して遮音状態を形成した後、室内側からドアを開くためのドアハンドル回動操作をすると、通気口が開いて通気状態に復帰するようになされている通気遮音構造。
【請求項２】
前記遮音操作部が、押しボタン式の操作部からなる請求項１に記載の通気遮音構造。
【請求項３】
室外と連通する通気口が備えられると共に、該通気口を開閉する開閉材が備えられ、
室外側からドアを開くためのドアハンドル回動操作をすると、通気口が閉じて遮音状態が形成され、室内側からドアを開くためのドアハンドル回動操作をすると、通気口が開いて通気状態に復帰するようになされていることを特徴とする通気遮音構造。
【請求項４】
室外と連通する通気口が備えられると共に、該通気口を開閉する開閉材が備えられ、かつ、通気口が開閉材で閉じられた遮音状態を形成するドア施錠機能無しの遮音操作部が備えられ、
通気口を開閉材で閉じる遮音操作をした時点から所定の時間を経過することにより、通気口が無操作で開いて通気状態に復帰するようになされていることを特徴とする通気遮音構造。
【発明の詳細な説明】
【技術分野】
【０００１】
本発明は、例えばトイレ等に用いられる通気遮音構造に関する。
【背景技術】
【０００２】
例えば、トイレの通気性能と遮音性能を両立させる目的で、トイレの中からドアの施錠ロック操作をすると、隣室と連通している通気口が閉じられて遮音状態が形成され、施錠を解除すると、通気口が開いて換気のための通気状態が形成されるようになされたものは、従来より知られている。
【特許文献１】特開２００６−０５７３６４号公報
【発明の開示】
【発明が解決しようとする課題】
【０００３】
しかしながら、上記のような通気遮音構造では、特に、男性が小便をするときに、いちいちドアの施錠操作をすることは、普通では考えられず、行為音が、通気口を通じて隣室に漏れてしまうという問題がある。
【０００４】
そこで、ドアの施錠操作とは別の何らかの操作をすると、隣室と連通している通気口が閉じられて遮音状態が形成されるような通気遮音構造にすることが考えられるが、行為を終えてトイレから出るときに、遮音状態から通気状態に戻すのをついつい忘れてしまいやすい。
【０００５】
その点、通気状態と遮音状態との切換えをドアの施錠操作に連動させる上記のような構造であれば、遮音状態から通気状態に戻すのを忘れるという問題は生じないが、そのような構造では、やはり、男性が小便をするときに、いちいちドアの施錠操作をすることは、普通では考えられないという事実が立ちはだかり、行為を終えてトイレから出るときに遮音状態から通気状態に戻すのをついつい忘れてしまうという問題すら起こりにくい。
【０００６】
このような問題は、トイレに限らず、オーディオルームなどにおいても起こりうる。
【０００７】
本発明は、上記のような問題点に鑑み、室内の使用に際して通気状態から遮音状態への切換え操作が容易で、しかも、使用後、遮音状態から通気状態に確実に戻すことができる通気遮音構造を提供することを課題とする。
【課題を解決するための手段】
【０００８】
上記の課題は、室外と連通する通気口が備えられると共に、該通気口を開閉する開閉材が備えられ、かつ、室内側に、通気口が開閉材で閉じられた遮音状態を形成するドア施錠機能無しの遮音操作部が備えられ、
ドアを閉め、室内側で前記操作部を操作して遮音状態を形成した後、室内側からドアを開くためのドアハンドル回動操作をすると、通気口が開いて通気状態に復帰するようになされている通気遮音構造によって解決される（第１発明）。
【０００９】
この構造では、室内の使用に際して、室内で遮音操作部を操作することによって遮音状態を形成することができ、しかも、この遮音操作部は、ドア施錠機能無しの遮音操作部であることにより、遮音状態を形成しようという意思の元で、通気状態から遮音状態に容易に切り換えることができる。
【００１０】
そして、使用後、室内側からドアを開くためのドアハンドル回動操作をすると、通気口が開いて通気状態に復帰するようになされているので、遮音状態から通気状態に確実に戻すことができる。
【００１１】
なお、「ドア施錠機能無しの遮音操作部」の文言は、遮音操作部に対する操作によってドアが施錠されない、そのような遮音操作部を意味するものとして用いている。以下同様である。
【００１２】
第１発明において、前記遮音操作部が、押しボタン式の操作部からなる場合は（第２発明）、ボタン押し操作によって、通気状態から遮音状態に容易に切り換えることができる。
【００１３】
また、上記の課題は、室外と連通する通気口が備えられると共に、該通気口を開閉する開閉材が備えられ、
室外側からドアを開くためのドアハンドル回動操作をすると、通気口が閉じて遮音状態が形成され、室内側からドアを開くためのドアハンドル回動操作をすると、通気口が開いて通気状態に復帰するようになされていることを特徴とする通気遮音構造によって解決される（第３発明）。
【００１４】
この構造では、室内の使用に際して、室外側からドアを開くためのドアハンドル回動操作をすると、通気口が閉じて遮音状態が形成されるようになされているので、通気状態から遮音状態に容易に切り換えることができる。
【００１５】
しかも、使用後、室内側からドアを開くためのドアハンドル回動操作をすると、通気口が開いて通気状態に復帰するようになされているので、遮音状態から通気状態に確実に戻すことができる。
【００１６】
また、上記の課題は、室外と連通する通気口が備えられると共に、該通気口を開閉する開閉材が備えられ、かつ、通気口が開閉材で閉じられた遮音状態を形成するドア施錠機能無しの遮音操作部が備えられ、
通気口を開閉材で閉じる遮音操作をした時点から所定の時間を経過することにより、通気口が無操作で開いて通気状態に復帰するようになされていることを特徴とする通気遮音構造によって解決される（第４発明）。
【００１７】
この構造では、室内の使用に際して、遮音操作部を操作することによって遮音状態を形成することができ、しかも、この遮音操作部は、ドア施錠機能無しの遮音操作部であることにより、通気状態から遮音状態に容易に切り換えることができる。
【００１８】
そして、使用後は、時間の経過により、通気口が無操作で開いて通気状態に復帰するようになされているので、遮音状態から通気状態に確実に戻すことができる。
【発明の効果】
【００１９】
本発明は、以上のとおりのものであるから、室内の使用に際して通気状態から遮音状態への切換え操作が容易で、しかも、使用後、遮音状態から通気状態に確実に戻すことができる。
【発明を実施するための最良の形態】
【００２０】
次に、本発明の実施最良形態を図面に基づいて説明する。
【００２１】
図１〜図３に示す第１実施形態の通気遮音構造は、トイレに適用した場合のもので、図１（ロ）に示すように、トイレのドア１のドア板の面内に、トイレ室２と廊下等の室外の隣室３と連通する通気口４，４が備えられると共に、図２（イ）（ロ）に示すように、該通気口４を開閉する開閉材５が備えられ、かつ、トイレ室内２側において、ドア１のレバー式ハンドル６の基部には、ドア施錠機能無しの押しボタン式の遮音操作部７が設けられている。
【００２２】
そして、図３（ホ）に示すように、該遮音操作部７を押し操作することにより、通気口４が開閉材５で閉じられた遮音状態が形成され、図３（ヘ）に示すように、トイレ室内２側のドア１のレバー式ハンドル６を回動操作することにより、通気口４が開かれた通気状態が形成されるようになされている。１１は連動機構で、遮音操作部７と開閉材５、及び、トイレ室内２側のレバー式ハンドル６と開閉材５を連動させるものである。なお、１０はラッチであり、ハンドル６，８の回動操作に連動して後退するようになされている。
【００２３】
上記の構造では、行為を行うため、図２（ハ）に示すように、隣室３側のドアハンドル８を回動操作してドア１を開き、トイレ室内２に入り、図３（ニ）に示すように、ドア１を引いて閉めた後、図３（ホ）に示すように、遮音操作ボタン７を押すと、開閉材５が動いて遮音状態が形成され、行為音が通気口４を通じて隣室３に漏れてしまうのが防がれる。
【００２４】
そして、行為終了後、図３（ヘ）に示すように、トイレ室内２側のドアハンドル６を回動操作してドア１を開くと、その回動操作によって、開閉材５が動き、通気状態に復帰すると共に、押しボタン式の遮音操作部７も復帰する。
【００２５】
このように、上記の通気遮音構造によれば、トイレの使用に際して、トイレ室内２で遮音操作部７を操作することによって遮音状態を形成することができ、しかも、この遮音操作部７は、ドア施錠機能無しの遮音操作部であることにより、遮音状態を形成しようという意思の元で、容易に、通気状態から遮音状態に切り換えることができる。
【００２６】
特に、遮音操作部７は、押しボタン式の操作部からなっているので、ボタン押し操作によって、容易に、通気状態から遮音状態に切り換えることができる。
【００２７】
とりわけ、押しボタン式の遮音操作部７が、トイレ室内２側のレバー式ドアハンドルの基部に備えられていることにより、レバーを握りドアを引いて閉める操作の過程で、握った手の親指でボタン操作を行うことができて、操作を容易に行うことができる。
【００２８】
そして、行為終了後は、トイレ室内２側からドア１を開くためのドアハンドル６の回動操作をすれば、通気口４が開いて通気状態に復帰するので、遮音状態から通気状態に確実に戻すことができる。
【００２９】
図４及び図５に示す第２実施形態の通気遮音構造では、押しボタン式の遮音操作部７に代えて、図４（ロ）に示すように、隣室３側のレバー式ドアハンドル８を回動操作すると、通気口４が閉じて、遮音状態が形成され、図５（ホ）に示すように、トイレ室内２側のレバー式ドアハンドル６を回動操作すると、通気口４が開かれて、通気状態が形成されるようになされている。その他は、第１実施形態と同様である。
【００３０】
この構造では、行為を行うため、図４（ロ）に示すように、隣室３側のドアハンドル８を回動操作してドア１を開けば、ハンドル８の前記回動操作によって通気口４が閉じ、トイレ室内２に入り、図４（ハ）及び図５（ニ）に示すように、ドア１を引いて閉めれば、遮音状態が形成され、行為音が通気口４を通じて隣室３に漏れてしまうのが防がれる。
【００３１】
そして、行為終了後、図５（ホ）（ヘ）に示すように、トイレ室内２側のドアハンドル６を回動操作してドア１を開き、ドア１を閉じると、該ドアハンドル６の回動操作によって、開閉材５が動き、通気状態に復帰する。
【００３２】
このように、上記の通気遮音構造によれば、トイレの使用に際して、隣室３側のレバー式ドアハンドル８を回動操作してドア１を開け、トイレ室内２に入ってドアを閉めれば、遮音状態を形成することができ、容易に、通気状態から遮音状態に切り換えることができる。しかも、行為終了後は、トイレ室内２側からドア１を開くためのドアハンドル６の回動操作をすれば、通気口４が開いて通気状態に復帰するので、遮音状態から通気状態に確実に戻すことができる。
【００３３】
図６及び図７に示す第３実施形態の通気遮音構造は、図７（ハ）に示すように、隣室３側のレバー式ドアハンドル８を回動操作すると、通気口４が閉じて、遮音状態が形成されるようになされており、該回動操作式ドアハンドル８が、ドア施錠機能無しの遮音操作部を構成している。そして、ドア１には、タイマー等を含む遅延装置９が組み込まれ、隣室３側のレバー式ドアハンドル８の回動操作によって通気口４を開閉材５で閉じる遮音操作をした時点から所定の時間、例えば、５分や１０分、３０分などの時間を経過することにより、通気口４が無操作で開いて通気状態に復帰するようになされている。
【００３４】
この構造では、行為を行うため、図７（ハ）に示すように、隣室３側のドアハンドル８を回動操作してドア１を開けば、ハンドル８の該回動操作によって通気口４が閉じ、トイレ室内２に入り、ドア１を引いて閉めれば、遮音状態が形成され、行為音が通気口４を通じて隣室３に漏れてしまうのが防がれる。
【００３５】
そして、行為終了後、トイレを出て時間が経過すると、図７（ニ）（ホ）に示すように、遅延装置９の制御によって、無操作で、開閉材５が動き、通気状態に復帰する。
【００３６】
このように、上記の通気遮音構造によれば、トイレの使用に際して、隣室３側のレバー式ドアハンドル８を回動操作してドア１を開け、トイレ室内２に入ってドアを閉めれば、遮音状態を形成することができ、容易に、通気状態から遮音状態に切り換えることができる。しかも、行為終了後は、トイレから出るだけで、時間経過後、通気口４が開いて通気状態に復帰するので、遮音状態から通気状態に確実に戻すことができる。
【００３７】
以上に、本発明の実施形態を示したが、本発明はこれに限られるものではなく、発明思想を逸脱しない範囲で各種の変更が可能である。例えば、上記の第１実施形態では、遮音操作部７をトイレ室内２のレバー式ドアハンドルの基端部に設けた場合を示したが、第１，第２発明では、ドア板に設けてもよいし、トイレ室内２の壁面部に設けてもよい。また、第１発明では、遮音操作部は押しボタン式に限らない。
【００３８】
また、上記の各実施形態では、レバー式ドアハンドルの回動操作によって状態の切換えが行われるようになされているが、ドアハンドルがノブ式である場合には、ノブの回動操作によって状態の切換えが行われるようになされていてもよいし、要は、ドアハンドルの回動操作を行うことによって切換えが行われるようになされていればよい。
【００３９】
また、上記の第３実施形態では、隣室３側のレバー式ドアハンドル８を回動操作によって、遮音状態が形成されるようになされているが、第４発明では、第１実施形態の場合のようなドア施錠機能無しの例えば押しボタン式の遮音操作部をトイレ室内側に備えさせ、該遮音操作部を操作することにより、遮音状態が形成されるようにしてもよい。
【００４０】
更に、上記の各実施形態では、トイレに用いた場合を示したが、本発明は、トイレのほか、オーディオルームなどの通気と遮音の両方が必要とされる各種の室において用いることができる。また、上記の各実施形態では、通気口がドア板に設けられている場合を示したが、本発明では、ドアと床面との間の隙間を通気口とするなど、通気口は各種態様で備えられていてよい。
【図面の簡単な説明】
【００４１】
【図１】第１実施形態の通気遮音構造を示すもので、図（イ）はトイレの平面図、図（ロ）はトイレ室内から見たドアの正面図である。
【図２】図（イ）は図１（ロ）のＩ−Ｉ線矢視断面図、図（ロ）は通気状態の同断面図、図（ハ）は、図３（ニ）〜（ヘ）と共に、状態の切り換わりの過程を順次に示す同断面図である。
【図３】図（ニ）〜図（ヘ）は、図２（ハ）と共に、状態の切り換わりの過程を順次に示す平面断面図である。
【図４】第２実施形態の通気遮音構造を示すもので、図（イ）はトイレのドアの平面断面図、図（ロ）及び図（ハ）は、図５（ニ）〜（ヘ）と共に、状態の切り換わりの過程を順次に示す平面断面図である。
【図５】図（ニ）〜図（ヘ）は、図４（ロ）（ハ）と共に、状態の切り換わりの過程を順次に示す平面断面図である。
【図６】第３実施形態の通気遮音構造を示すもので、図（イ）はトイレのドアの平面断面図、図（ロ）は通気状態の平面断面図である。
【図７】図（ハ）〜図（ホ）は、状態の切り換わりの過程を順次に示す平面断面図である。
【符号の説明】
【００４２】
１…ドア
２…トイレ室内
３…隣室（室外）
４…通気口
５…開閉材
６…ドアハンドル
７…遮音操作部
８…ドアハンドル
９…遅延装置
【図１】
2009002071.tif 000003
【図２】
2009002071.tif 000004
【図３】
2009002071.tif 000005
【図４】
2009002071.tif 000006
【図５】
2009002071.tif 000007
【図６】
2009002071.tif 000008
【図７】
2009002071.tif 000009